(57)【要約】【課題】シートの搬送路を閉止したときに操作部材を操作していてもロックを確実に行えるようにしたシート搬送装置を提供する。【解決手段】搬送路１２Ｂを開閉する案内ガイド２２を閉位置に保持するロック機構を解除するための操作部材２７と、シャフト２３に回転自在に取り付けられる係合部材２５と、係合部材２５を係止片２６に係合させる付勢部材２８とで構成し、シャフト２３にはピン３７を設け、係合部材２５にはピン３７が挿入される切欠部３６を形成する。操作部材２７を付勢部材２８に抗し回動すると、シャフト２３の回転がピン３７により係合部材２５に伝達され係合部材２５と係止片２６との係合が解除され、案内ガイド２２は開位置に移動し搬送路１２Ｂが開放する。案内ガイド２２を閉位置に戻すとき操作部材２７が押圧されても、係合部材２５は、切欠部３６を通してピン３７からの規制を受けずに回動でき係止片２６と係合する。【選択図】図３
2014088238.tif 000002
【特許請求の範囲】
【請求項１】
シートを搬送する搬送路と、この搬送路を構成する一対の案内ガイドと、一対の前記案内ガイドの一方の案内ガイドを、前記搬送路をなす閉位置と前記搬送路を開放する開位置に移動させる開閉機構と、一方の前記案内ガイドを閉位置に保持する保持機構と、を備えたシート搬送装置において、
前記保持機構は、
前記案内ガイドを閉位置に保持する係合部材と、
装置フレームに固定して設けられて前記係合部材が係合する被係合部材と、
前記係合部材を前記被係合部材側に付勢し、前記係合部材を該被係合部材に係合させる付勢部材と、
前記係合部材を、前記付勢手段に抗して前記被係合部材に係合する係合位置から該被係合部材から離れた解除位置に移動させる操作部材と、
前記案内ガイドが閉位置に在る状態で前記操作部材が操作されて移動する力を前記係合部材に伝達して、前記係合部材を前記係合位置から前記解除位置に移動させるとともに、前記案内ガイドが開位置から閉位置移動するとき、前記係合部材を前記操作部材とは無関係に前記係合位置から前記解除位置に移動可能とする伝達手段と、を備え、
前記案内ガイドが開位置から閉位置へ移動するとき、一旦、前記係合位置から前記解除位置に移動した前記係合部材は、前記解除位置から前記係合位置に移動して前記被係合部材と係合することを特徴とするシート搬送装置。
【請求項２】
前記保持機構は、シャフトを更に有し、
前記操作部材は、前記シャフトに固定して取り付けられ、
前記係合部材は、前記シャフトに回転自在に取り付けられている、
ことを特徴とする請求項１に記載のシート搬送装置。
【請求項３】
前記シャフトは、シート搬送方向に直交するシート幅方向に延設され、
前記操作部材は、前記シャフトの一端側に取り付けられ、
前記係合部材、前記付勢部材及び前記突出部材は、前記シャフトの両端側のそれぞれに配置されている、
ことを特徴とする請求項２に記載のシート搬送装置。
【請求項４】
２個の前記係合部材のそれぞれは、対応する前記被係合部材に係合する爪部を有し、
前記２個の係合部材のうちの前記操作部材により近い側に位置する前記係合部材の前記爪部の長さは、前記操作部材からより遠い側に位置する前記係合部材の前記爪部の長さより短いことを特徴とする請求項３に記載のシート搬送装置。
【請求項５】
２個の前記係合部材は、前記案内ガイドを挟んでシート幅方向の両側に配置されたことを特徴とする請求項４に記載のシート搬送装置。
【請求項６】
前記伝達手段は、前記シャフトと前記操作部材とのうちの一方に設けられた突出部材と、前記係合部材に形成され前記突出部材が侵入する切欠部とによって構成されており、
前記突出部材は、前記シャフトの前記一方向の回転で前記切欠部の端部に当接し、前記係合部材を前記付勢部材の付勢力に抗して前記被係合部材から離れる方向に移動させ、
前記切欠部は、前記シャフトが停止した状態で前記係合部材の前記一方向への回転を許容するように形成されている、
ことを特徴とする請求項２乃至請求項５の何れかに記載のシート搬送装置。
【請求項７】
シートが載置される給紙トレイと、
シートが収納される排紙トレイと、
シートを読み取る読取部と、
前記給紙トレイから前記読取部に至る給紙路と、
前記読取部から前記排紙トレイに至る搬送路と、
前記搬送路の少なくとも一部を形成する案内ガイドと、
前記案内ガイドを前記搬送路をなす閉位置と前記搬送路を開放する開位置に移動させる開閉機構と、
前記案内ガイドを前記閉位置に保持する保持機構とを備え、
前記保持機構は、
前記案内ガイドを前記閉位置に保持するための係合部材と、
装置フレームに固定して設けられて前記係合部材が係合可能な被係合部材と、
前記係合部材を前記被係合部材側に付勢して前記係合部材を前記被係合部材に係合させる付勢部材と、
前記係合部材を前記被係合部材に係合する係合位置から前記被係合部材から離れた解除位置に移動させる操作部材と、
前記案内ガイドが閉位置に在る状態で前記操作部材が操作されて移動する力を前記係合部材に伝達して、前記係合部材を前記係合位置から前記解除位置に移動させるとともに、前記案内ガイドが開位置から閉位置移動するとき、前記係合部材を前記操作部材と独立して前記係合位置から前記解除位置に移動可能とする伝達手段と、を備えることを特徴とする画像読取装置。
【発明の詳細な説明】
【技術分野】
【０００１】
本発明は、複写機、ファクシミリ、イメージスキャナ等で用いられるシート搬送装置に関する。
【背景技術】
【０００２】
従来から、シート読取装置本体にシート搬送装置（ＡＤＦ）を搭載し、シート読取装置本体の上面に設けられたコンタクトガラスに搬送されたシートの一方の面をシート読取装置本体の第１の読取手段で読み取り、コンタクトガラスを通過したシートの他方の面をシート搬送装置に設けられた第２の読取手段で読み取る両面シート読取装置がある。
【０００３】
このようなシート読取装置において、コンタクトガラスの下流の経路内にジャムしたシートを取り除いたり、第２の読取手段の読取面をクリーニングするために、シート読取装置本体のコンタクトガラスから第２の読取手段でシートを読み取る読取部までの搬送経路の下側の圧板を移動させ、コンタクトガラスの下流の搬送経路を露出するよう開閉可能な出口ユニットを備えた構成が知られている（例えば、特許文献１を参照）。しかし、このシート読取装置は、圧板を水平移動させることから、摺動によって生じる様々な不具合を防止するために構成が複雑となっている。
【０００４】
一方、搬送路の一部を形成する案内ガイドを直接開閉する給紙装置も知られている（例えば、特許文献２を参照）。このように案内ガイドを回動させて搬送路を開閉すると構造は簡単となるが、案内ガイドを閉止した状態をロックする機構が必要となる。
【０００５】
そのため、特許文献２においては、搬送経路を構成する閉位置で案内ガイドをロックし、操作片を操作することでこのロックを解除して、搬送路を露出する開位置に案内ガイドを移動可能にするロック機構を備えている。このロック機構は、係合片と、係合片と係合する係合爪と、操作片と、係合爪と操作片とが固定して装着されるシャフトと、係合爪と係合片との係合状態を保持するよう付勢しているバネ部材とを備えて、バネ部材の付勢に抗して操作片を操作し、シャフトを回転させることで係合爪と係止片とを離反させてロックを解除する構成となっている。そして、ロックの解除により案内ガイドが搬送路を開放している状態から閉止した状態に戻すには、操作者が案内ガイドを開位置から閉位置に移動させる操作を行うことで、このときバネ部材の付勢によりシャフトが回転して係合片との係合が可能な状態に復帰している係合爪が、案内ガイドのこの移動の過程で係合爪が係合片を乗り越えて係合片に係合して案内ガイドが閉位置で自律的にロックされる。
【先行技術文献】
【特許文献】
【０００６】
【特許文献１】特開２００２−２７８１７４号公報
【特許文献２】特開２００６−３４７７２９号公報
【発明の概要】
【発明が解決しようとする課題】
【０００７】
特許文献２のようなロック機構では、操作者は、ロックを解除するときには操作部材を操作し、ロックするときには案内ガイドを閉止する操作を行えばよい。しかしながら、操作者がこの操作についての知見を有していないと、ロックするときも操作部材を操作しながら案内ガイドを回転させようとする動作を行うことがある。
【０００８】
このような場合に、操作者が、ロックを解除した方向と同じ方向に操作部材に力を加えると、係合爪がバネ部材の付勢力に抗して解除位置に移動するため、案内ガイドを閉位置に移動してもロックすることができない。このとき、操作部材を離せばバネ部材により係合爪が係合片と係合してロックされるのであるが、操作者には、ロックした感覚が得られないことから、操作部材を離すことなく案内ガイドを開放位置に戻してしまう。
【０００９】
また、操作者が、ロックを解除した方向と反対方向に操作部材に力を加えながら案内ガイドを閉位置に移動させると、係合爪はロック位置に操作者によって固持されているために、係合爪が係合片と係合するのにいったん係合片から退避して係合片を乗り越えることへの妨げとなり、やはりロックすることができない。
【００１０】
よって、操作者が、操作片を操作しながら案内ガイドを開状態から閉状態に移動させたとき、操作者が操作片を指で押さえているとロックできない場合が生じていた。
【００１１】
上記点から本発明は、案内ガイドを回動させて閉止する場合に、操作者が操作部材を押さえていても、案内ガイドを確実に閉止状態にロックすることができるシート搬送装置を提供する。
【課題を解決するための手段】
【００１２】
上記の課題を解決するため、本発明のシート搬送装置は、シートを搬送する搬送路と、この搬送路を構成する一対の案内ガイドと、一対の前記案内ガイドの一方の案内ガイドを、前記搬送路をなす閉位置と前記搬送路を開放する開位置に移動させる開閉機構と、一方の前記案内ガイドを閉位置に保持する保持機構と、を備えたシート搬送装置において、前記保持機構は、前記案内ガイドを閉位置に保持する係合部材と、装置フレームに固定して設けられて前記係合部材が係合する被係合部材と、前記係合部材を前記被係合部材側に付勢し、前記係合部材を該被係合部材に係合させる付勢部材と、前記係合部材を、前記付勢手段に抗して前記被係合部材に係合する係合位置から該被係合部材から離れた解除位置に移動させる操作部材と、前記案内ガイドが閉位置に在る状態で前記操作部材が操作されて移動する力を前記係合部材に伝達して、前記係合部材を前記係合位置から前記解除位置に移動させるとともに、前記案内ガイドが開位置から閉位置移動するとき、前記係合部材を前記操作部材とは無関係に前記係合位置から前記解除位置に移動可能とする伝達手段と、を備え、前記案内ガイドが開位置から閉位置へ移動するとき、一旦、前記係合位置から前記解除位置に移動した前記係合部材は、前記解除位置から前記係合位置に移動して前記被係合部材と係合することを特徴としている。
【００１３】
ここで、前記保持機構は、シャフトを更に有し、前記操作部材は、前記シャフトに固定して取り付けられ、前記係合部材は、前記シャフトに回転自在に取り付けられている。
【００１４】
また、前記シャフトは、シート搬送方向に直交するシート幅方向に延設され、前記操作部材は、前記シャフトの一端側に取り付けられ、前記係合部材、前記付勢部材及び前記突出部材は、前記シャフトの両端側のそれぞれに配置されている。
【００１５】
そして、２個の前記係合部材のそれぞれは、対応する前記被係合部材に係合する爪部を有し、前記２個の係合部材のうちの前記操作部材により近い側に位置する前記係合部材の前記爪部の長さは、前記操作部材からより遠い側に位置する前記係合部材の前記爪部の長さより短いことを特徴としている。
【００１６】
さらに、２個の前記係合部材は、前記案内ガイドを挟んでシート幅方向の両側に配置されたことを特徴としている。
【００１７】
また、前記伝達手段は、前記シャフトと前記操作部材とのうちの一方に設けられた突出部材と、前記係合部材に形成され前記突出部材が侵入する切欠部とによって構成されており、前記突出部材は、前記シャフトの前記一方向の回転で前記切欠部の端部に当接し、前記係合部材を前記付勢部材の付勢力に抗して前記被係合部材から離れる方向に移動させ、前記切欠部は、前記シャフトが停止した状態で前記係合部材の前記一方向への回転を許容するように形成されている。
【００１８】
上記の課題を解決するため、本発明の画像読取装置は、シートが載置される給紙トレイと、シートが収納される排紙トレイと、シートを読み取る読取部と、前記給紙トレイから前記読取部に至る給紙路と、前記読取部から前記排紙トレイに至る搬送路と、前記搬送路の少なくとも一部を形成する案内ガイドと、前記案内ガイドを前記搬送路をなす閉位置と前記搬送路を開放する開位置に移動させる開閉機構と、前記案内ガイドを前記閉位置に保持する保持機構とを備え、前記保持機構は、前記案内ガイドを前記閉位置に保持するための係合部材と、装置フレームに固定して設けられて前記係合部材が係合可能な被係合部材と、前記係合部材を前記被係合部材側に付勢して前記係合部材を前記被係合部材に係合させる付勢部材と、前記係合部材を前記被係合部材に係合する係合位置から前記被係合部材から離れた解除位置に移動させる操作部材と、前記案内ガイドが閉位置に在る状態で前記操作部材が操作されて移動する力を前記係合部材に伝達して、前記係合部材を前記係合位置から前記解除位置に移動させるとともに、前記案内ガイドが開位置から閉位置移動するとき、前記係合部材を前記操作部材と独立して前記係合位置から前記解除位置に移動可能とする伝達手段と、を備えることを特徴としている。
【発明の効果】
【００１９】
本発明のシート搬送装置によれば、伝達手段によって操作部材の一方向のみの移動しか係合部材に伝達されないために、案内ガイドを開位置から閉位置に移動させるときに操作部材を押さえていても、係合部材と被係合部材とが確実に係合して案内ガイドをロックすることができる。
【図面の簡単な説明】
【００２０】
【図１】本発明に係るシート読取装置の要部の構成を示す側断面図である。
【図２】本発明に係るシート読取装置のシート搬送装置を斜め下方から示す斜視図である。
【図３】案内ガイドを閉止した状態でのシート搬送装置の内部の機構配置を示す説明図である。
【図４】案内ガイドを開放した状態でのシート搬送装置の内部の機構配置を示す説明図である。
【図５】シャフトに操作部材、係合部材及びバネ部材が取り付けられていることを説明する斜視図である。
【図６】図５の一部を拡大して示す斜視図である。
【図７】案内ガイドが搬送路を閉止している状態での、操作部材と係合部材とのそれぞれの回転位置を対照して示す説明図である。
【図８】操作部材の操作により案内ガイドのロックを解除して搬送路を開放している状態での、操作部材と係合部材とのそれぞれの回転位置を対照して示す説明図である。
【図９】案内ガイドが搬送路を開放している状態での、操作部材と係合部材とのそれぞれの回転位置を対照して示す説明図である。
【図１０】搬送路を閉止するために案内ガイドを上方に回動させた状態での、操作部材と係合部材とのそれぞれの回転位置を対照して示す説明図である。
【図１１】図１０の状態から案内ガイドをさらに上方に回動させた状態での、操作部材と係合部材とのそれぞれの回転位置を対照して示す説明図である。
【発明を実施するための形態】
【００２１】
以下、本発明の実施の形態について、図面に基づき詳細に説明する。図１は、シート読取装置Ｈの本発明に係る部分を側断面図により示している。シート読取装置Ｈは、複数枚のシートを載置可能な給紙トレイ１０と、読み取られたシートを収納する排紙トレイ１１を備えている。給紙トレイ１０は排紙トレイ１１の上方に重なるように配置されており、給紙トレイ１０の下流側には、給紙トレイ１０上に載置されたシートの下流側を支持する昇降トレイ４１と、給紙トレイ１０上に載置されたシートの下流側先端を整合する整合壁３１とが設けられている。
【００２２】
給紙トレイ１０から排紙トレイ１１へ至るＵ字状の経路であるシート搬送経路１２には、給紙トレイ１０に載置され整合壁３１で先端を整合されたシートに当接してこのシートを繰り出すための繰出ローラ１３と、繰り出されたシートを給送する給紙ローラ１４と、給紙ローラ１４に圧接してシートを１枚に分離する分離ローラ（逆転ローラ）１５と、この給紙ローラ１４及び分離ローラ１５からなる分離手段により１枚に分離されて給送されるシートの先端を突き当てて整合した後に下流側に送るレジストローラ１６と、第１のコンタクトガラス１ａの上流側に配置された搬入ローラ対１７と、第１のコンタクトガラス１ａの下流側に配置された搬出ローラ対１８と、搬出ローラ対１８の下流側に配置されて排紙トレイ１１にシートを排紙する排紙ローラ対１９と、が設けられている。ここでレジストローラ１６は、シートを下流に搬送する送りローラ対であり、レジストローラ１６Ａとレジストローラ１６Ｂとから構成される。
【００２３】
また、給紙装置１の給紙口１２ａには、繰出ローラ１３の駆動軸１３ａを回転自在に支持する揺動アーム４５が配置されている。揺動アーム４５は、給紙ローラ１４の駆動軸１４ａとトルクリミッターを介して連結されており、駆動軸１４ａの回転によりこの駆動軸１４ａを支点にして揺動するように構成されている。したがって、この揺動アーム４５は、繰出ローラ１３を下降させて給紙トイレ１０に載置されたシートに接触させると共に繰出ローラ１３を上昇させてシートから退避させる昇降手段となっている。
【００２４】
シート読取装置Ｈは、コンタクトガラス１ａ上を搬送されるシート（シート）の片面を読み取る第１の読取部２と、コンタクトガラス１ａ上面を通過したシートの他面を読み取る第２の読取部３を備えている。そして、シート読取装置Ｈは、第１の読取部２を水平方向の副走査方向に移動させて、コンタクトガラス１ｂ上に載置された本などの厚いシートを読み取ることができる。また、シート読取装置Ｈは、搬出ローラ対１８と排紙ローラ対１９との間にコンタクトガラス２０を設け、第２の読取部３によって、第１の読取部２で読み取られるシート面とは反対側のシート面を読み取ることができる。このような読取部２及び読取部３は、それぞれ光源、複数のミラー、レンズ、光電変換素子（ＣＣＤ）を含む光電変換手段が一体化して構成されている。
【００２５】
シート搬送経路１２は、給紙トレイ１０から読取部２に至る給紙路１２Ａと、読取部２から排紙トレイ１１に至る搬送路１２Ｂとから成り、この搬送路１２Ｂは、読取部３のコンタクトガラス２０を有する上側のガイド２１とこれに対向して設けられる下側のガイドとで構成され、下側ガイドの一部には案内ガイド２２が形成されている。この案内ガイド２２は、開閉機構によって搬送路１２Ｂをなす閉位置と搬送路１２Ｂを開放する開位置に移動し、保持機構によって閉位置に保持される。
【００２６】
上述のような構成によって、給紙トイレ１０に載置されたシートは繰出ローラ１３、給紙ローラ１４及び分離ローラ１５によって１枚に分離されて給紙され、レジストローラ対１６でシートを整合させた後に搬入ローラ対１７でコンタクトガラス１ａに搬送される。そして、コンタクトガラス１ａに搬送されたシートは第１の読取部２によって片面が読み取られる。片面が読み取られたシートは搬出ローラ対１８によって下流側のコンタクトガラス２０に搬送され、第２の読取部３にて他面が読み取られる。その後両面が読み取られたシートは排紙ローラ対１９によって排紙トレイ１１に排紙される。
【００２７】
ここで、読取部２及びコンタクトガラス１ｂが配置されている平面を境にしてその上側に配置されている各部材はユニット化されており、原稿読取装置Ｈの本体とは別体のシート搬送装置（ＡＤＦ）３２を構成している。このシート搬送装置３２は、ヒンジ３４によってシート読取装置Ｈの本体から開閉可能に枢支することで分離可能となっている。図２は、ヒンジ３４を支点にシート搬送装置３２を回動させてシート読取装置Ｈの本体から開放すると共に、前述の開閉機構が搬送路１２Ｂの下流側を支点にして案内ガイド２２を回動させて搬送路１２Ｂを開放させたときの状態を斜め下方からの斜視図により示している。この状態においては、案内ガイド２２は開放して搬送路１２Ｂの中を露出させており、搬送路１２Ｂ中にジャムしたシートの除去やコンタクトガラス２０のクリーニングなどを行うことができる。
【００２８】
シート搬送装置３２において、案内ガイド２２を搬送路１２Ｂから開閉する前記開閉機構とその開閉動作について図３及び図４により説明する。シート読取装置Ｈの本体フレーム側板には回転軸２４が固定して装着されており、この回転軸２４には案内ガイド２２の一端が回動自在に軸支されている。このとき、案内ガイド２２は、搬送路１２Ｂの下流側を支点にして回動するよう回転軸２４に軸支されている。
【００２９】
図３は、案内ガイド２２が搬送路１２Ｂを閉止している状態を示している。この状態では、係合部材２５が装置フレームの側板に設けられた被係合部材である係合片２６と係合しており、案内ガイド２２は閉位置に保持されている。
【００３０】
この閉状態から、操作部材２７の操作部２７Ａを押し下げると、回動自在に枢支されている操作部材２７が図で反時計回りの方向に回動して、係合部材２５が係合片２６から離反して係合が外れる。これにより、案内ガイド２２は閉位置での保持状態が解除され、自重により回転軸２４を支点に下方に回動して、図４に示す状態となる。
【００３１】
そして、開状態にある案内ガイド２２を手動で上方に押し上げると、この押し上げ動作に伴い係合部材２５と係合片２６とが係合することで案内ガイド２２を閉位置に戻すことができる。
【００３２】
図５と図６とで示すように、操作部材２７は、案内ガイド２２の幅方向に沿って延出しているシャフト２３の装置フロント側の端部に固定して取り付けられており、シャフト２３の両端には一対の係合部材２５が回転自在に装着されている。よって、シート読取装置Ｈの本体側には、各係合部材２５に対応して一対の係合片２６が設けられている。そして、各係合部材２５は、一方向に付勢するトグルバネなどによる付勢部材２８によって、図で時計回りの方向に付勢されている。
【００３３】
係合部材２５は、係合片２６と係合する鍵状の爪部２５Ａと、付勢部材２８の一端を係止する取付部２５Ｂとを一体成形して成る樹脂成型品である。また、係合部材２５には、シャフト２３が貫通する内周面側の一部に内周に沿って溝状に切り欠かれた切欠部３６が設けられていて、この切欠部３６にはシャフト２３に設けた突出部材であるピン３７が挿入されている。切欠部３６とピン３７とは、操作部材２７の反時計回りの一方向への移動のみを係合部材２５に伝達する伝達手段を構成している。
【００３４】
付勢部材２８は、取付部２５Ｂに係止されていない側の端部を案内ガイド２２の搬送路１２Ｂに臨む面とは反対側の面に接触させており、係合部材２５を常に係合片２６側に付勢して係合状態を保持する。これにより、案内ガイド２２は、搬送路１２Ｂを閉止する位置に維持される。なお、一対の係合部材２５は同一形状であるが、爪部２５Ａに関しては、操作部材２７側に配置されている係合部材２５の爪部２５Ａに対して、もう一方の係合部材２５の爪部２５Ａが爪の先端までの長さを大きく設定することで、係合部材２５と係合片２６との係合を確実にしている。
【００３５】
シャフト２３には、ストッパー部２９が固定で取り付けられており、ストッパー部２９と当接してシャフト２３の回転を規制する規制部材（図示せず）が案内ガイド２２の搬送路１２Ｂに臨む面とは反対側の面に設けられている。よって、ストッパー部２９とこの規制部材により、シャフト２３の回動角度範囲が規制される。
【００３６】
案内ガイド２２を開閉するための係合部材２５と係合片２６とによる係合及び解除の動作を図７乃至図１１により説明する。図７乃至図１１は、各動作状態での操作部材２７と係合部材２５とのそれぞれの回転位置を対照させて示すものである。
【００３７】
係合部材２５が爪部２５Ａで係合片２６と係合している図７に示す状態では、係合部材２５は、付勢部材２８により係合部材２５が時計回りの方向に付勢されて、係合片２６との係合位置に保持されている。
【００３８】
この係合状態から操作者が操作部２７Ａを押し下げて操作部材２７を反時計回りの方向に回動させると、これに連動してシャフト２３が同じ方向に回転する。このとき、係合部材２５は、図８で示すように、シャフト２３の回転によりピン３７が切欠溝３６の端部に当接するため反時計回りの方向への回動力が伝達されて、付勢部材２８の付勢に抗して係合片２６との係合を解除して離反する方向へ移動する。
【００３９】
係合部材２５と係合片２６との係合を解除した後、操作者が操作部２７Ａから指を離すと、図９で示すように、係合部材２５は付勢部材２８の付勢により時計回りの方向へ回動する。このときの係合部材２５の回転により、切欠部３６は端部でピン３７を押すためにシャフト２３も回動し、シャフト２３はストッパー部２９が前記規制部材と当接したとき回転を停止し、係合部材２５は係合片２６との係合が可能な係合位置に復帰する。また、シャフト２３の回動により操作部材２７も回動して、操作部２７Ａが水平状態にある位置に復帰する。
【００４０】
そして、操作者が搬送路１２Ｂを閉止するのに、案内ガイド２２を上方に持ち上げて回転軸２４を支点にして回動させると係合部材２５は上方に移動する。このとき、係合部材２５の回動位置は、係合片２６と係合可能な係合位置にあるために、図１０で示すように、爪部２５Ａは上面の湾曲部分で係合片２６と当接する。
【００４１】
そして、さらに案内ガイド２２を持ち上げて係合部材２５を上方に移動させると、係合部材２５は、シャフト２３に対して固定して取り付けられておらず、図１１で示すように、上方への移動により爪部２５Ａの湾曲面に沿って反時計回りの方向に回転する。このとき操作者が操作部２７Ａを押圧してシャフト２３を固定させていても、係合部材２５が反時計回りの方向へ回転するときには切欠部３６を通してピン３７から規制を受けることがない。
【００４２】
そして、係合部材２５の回動により爪部２５が係合片２６から退避すると、係合部材２５は、操作者が案内ガイド２２を上方に持ち上げる力によりさらに上方に移動して係合片２６を通過する。係合部材２５は、係合片２６を通過すると、係合片２６との当接が外れるため付勢部材２８の付勢により時計回りの方向へ回転して係合位置に戻る。これにより、係合片２６は爪部２５Ａで係合片２６と係合して図７（ａ）に示す係合状態に復帰する。
【００４３】
こうして、案内ガイド２２を持ち上げて搬送路１２Ｂを閉止する操作を行うことで係合部材２５と係合片２６とが係合して、案内ガイド２２による搬送路１２Ｂの閉止状態を保持できる。
【００４４】
上記したごとく、係合部材２５は、シャフト２３に固定して取り付けられておらず、ピン３７及び切欠部３６によって操作部材２７の操作による一方向の回動のみがシャフト２３から伝達されるよう構成されている。したがって、案内ガイド２２を上方に持ち上げて搬送路１２Ｂを閉止する際、操作者が操作部材２７を押さえていても、係合部材２５は反時計回りの方向に回動することができ、この回動により係合片２６からいったん退避して係合片２６を通過する。そして、通過後、係合部材２５は、付勢部材２８の付勢により時計回りの方向に回動して係合位置に再び復帰したとき係合片２６と係合するため、案内ガイド２２を確実にロックすることができる。
【産業上の利用可能性】
【００４５】
本発明は、複写機、ファクシミリ、イメージスキャナ等で用いられるシート搬送装置に関し、シートの搬送路を閉止したときのロックを確実に行えるようにしたものであり産業上の利用可能性を有する。
【符号の説明】
【００４６】
２        読取部
１０      給紙トレイ
１１      排紙トレイ
１２Ａ    給紙路
１２Ｂ    搬送路
２２      案内ガイド
２４      シャフト
２５      係合部材
２５Ａ    爪部
２６      被係合部材（係合片）
２７      操作部材
２８      付勢部材
３６      切欠部
３７      突出部材（ピン）
【図１】
2014088238.tif 000003
【図２】
2014088238.tif 000004
【図３】
2014088238.tif 000005
【図４】
2014088238.tif 000006
【図５】
2014088238.tif 000007
【図６】
2014088238.tif 000008
【図７】
2014088238.tif 000009
【図８】
2014088238.tif 000010
【図９】
2014088238.tif 000011
【図１０】
2014088238.tif 000012
【図１１】
2014088238.tif 000013